(57)【特許請求の範囲】
【請求項１】
分光計システムであって、
イオン源からイオンを受け取るための差動移動度分光計と、
該差動移動度分光計を通って流動するドリフトガスを提供するためのドリフトガス供給部と、
該ドリフトガス供給部に調整剤液の実体積流量を供給するための調整剤供給部であって、該調整剤供給部は、選択された体積流量を設定するための計器を備え、該計器は、該選択された体積流量を変更するように調節可能であり、該実体積流量は、該選択された体積流量からあるパーセント偏差内である、調整剤供給部と
を備えている、システム。
【請求項２】
前記パーセント偏差は、前記選択された体積流量の±０．２％内である、請求項１に記載の分光計システム。
【請求項３】
前記パーセント偏差は、前記選択された体積流量の±２％内である、請求項１に記載の分光計システム。
【請求項４】
前記調整剤供給部は、前記ドリフトガス供給部に前記調整剤液の実体積流量を供給するためのポンプを備えている、請求項１に記載の分光計システム。
【請求項５】
前記ドリフトガス供給部は、カーテンガスを提供するためのカーテンガス供給部であり、前記分光計システムは、前記差動移動度分光計の入口に前記ドリフトガスとなる該カーテンガスのうちの少なくとも一部を向けるための境界部材をさらに備えている、請求項１に記載の分光計システム。
【請求項６】
調整剤を添加されたカーテンガスを受け取るためのカーテンチャンバをさらに備え、該カーテンチャンバは、前記差動移動度分光計を囲むカーテン壁を備え、前記境界部材は、該カーテン壁の一部である、請求項５に記載の分光計システム。
【請求項７】
前記ドリフトガス供給部は、ドリフトガス導管を備え、
前記調整剤供給部は、調整剤導管を備え、
前記システムは、該調整剤導管を該ドリフトガス導管に統合するための接合部をさらに備え、ポンプが、該接合部の上流の該調整剤導管内に設置され、該ドリフトガス導管に前記調整剤液の実体積流量を提供する、
請求項３に記載の分光計システム。
【請求項８】
前記接合部を加熱するための加熱器をさらに備えている、請求項７に記載の分光計システム。
【請求項９】
前記差動移動度分光計からイオンを受け取るために、該差動移動度分光計と流体連通する質量分析計をさらに備えている、請求項１に記載の分光計システム。
【請求項１０】
前記質量分析計によって受け取られるイオンを検出するための検出器をさらに備えている、請求項９に記載の分光計システム。
【請求項１１】
前記差動移動度分光計は、直線および湾曲電極のうちの１つを備えている、請求項１に記載の分光計システム。
【請求項１２】
前記チャンバを加熱するための加熱器をさらに備えている、請求項６に記載の分光計システム。
【請求項１３】
差動移動度分光計を含むシステムを操作する方法であって、
ａ）該差動移動度分光計にイオンを提供することと、
ｂ）該差動移動度分光計の入口にドリフトガスを提供することと、
ｃ）計器を調節し、該ドリフトガスに調整剤液を供給するための選択された体積流量を規定することと、
ｄ）該ドリフトガスに該調整剤液の実体積流量を供給することであって、該実体積流量は、該選択された体積流量からあるパーセント偏差内である、ことと
を含む、方法。
【請求項１４】
ｄ）は、選択された時間間隔にわたって、前記実流量を提供することを含み、前記パーセント偏差は、該選択された時間間隔にわたって、前記選択された体積流量の±０．２％内である、請求項１３に記載の方法。
【請求項１５】
ｄ）は、選択された時間間隔にわたって、前記実流量を提供することを含み、前記パーセント偏差は、該選択された時間間隔にわたって、前記選択された体積流量の±２％内である、請求項１３に記載の方法。
【請求項１６】
ｄ）は、前記ドリフトガスに前記調整剤液の実体積流量を圧送することを含む、請求項１５に記載の方法。
【請求項１７】
ｄ）前記差動移動度分光計からイオンを透過させることと、
ｅ）前記差動移動度分光計から透過されたイオンを検出することと
をさらに含む、請求項１３に記載の方法。
【請求項１８】
調整剤および前記ドリフトガスを加熱することをさらに含む、請求項１５に記載の方法。
【請求項１９】
ｇ）前記ドリフトガスへの調整剤の規定された体積流量を決定し、イオンの選択された分離度を提供することをさらに含み、
ｃ）は、前記選択された体積流量を設定し、該規定された体積流量と等しくすることを含む、
請求項１７に記載の方法。
【請求項２０】
ｇ）は、
複数の時間間隔にわたって、前記ドリフトガスに添加される調整剤の実体積流量を調節することであって、該複数の時間間隔の間、複数の異なる調整剤の体積流量が該ドリフトガスに提供され、該複数の時間間隔の各時間間隔の間、異なる量の調整剤が提供される、ことと、
各時間間隔の間および各異なる量の調整剤に対して、イオンを検出し、関連付けられた選択度を決定することによって、複数の選択度を決定することと、
該複数の選択度および該複数の異なる体積流量に基づいて、前記選択された体積流量を選択することと
を含む、請求項１９に記載の方法。
【請求項２１】
前記選択された時間間隔は、少なくとも１時間である、請求項１４に記載の方法。
【請求項２２】
前記選択された時間間隔は、少なくとも１時間である、請求項１５に記載の方法。
【発明の詳細な説明】
【技術分野】
【０００１】
本発明は、概して、差動移動度分光計に関連する方法およびシステムに関する。
【背景技術】
【０００２】
差動移動度分光計システムでは、ドリフトガスは、典型的には、差動移動度分光計の上流のガス源から供給される。本ドリフトガスは、差動移動度分光計を通して、ガス流を提供し得る。調整剤液は、ドリフトガスに添加され得る。調整剤は、イオンとともに異なる程度に群化し、それによって、これらのイオンの差動移動度をシフトさせることによって、選択性を提供する気相であり得る。調整剤の実施例として、イソプロピルアルコール等のアルコール、水、ならびに水素重水素交換剤を含み得る。
【発明の概要】
【課題を解決するための手段】
【０００３】
本発明の第１の実施形態のある側面によると、ａ）イオン源からイオンを受け取るための差動移動度分光計と、ｂ）差動移動度分光計を通って流動するドリフトガスを提供するためのドリフトガス供給部と、ｃ）ドリフトガス供給部に調整剤液の実体積流量を供給するための調整剤供給部であって、選択された体積流量を設定するための計器を備え、選択された体積流量を変更するように調節可能であって、実体積流量は、選択された体積流量からあるパーセント偏差内である、調整剤供給部とを備えている、分光計システムが提供される。
【０００４】
本発明の第２の実施形態のある側面によると、差動移動度分光計を含むシステムを操作する方法が提供される。本方法は、ａ）差動移動度分光計にイオンを提供することと、ｂ）差動移動度分光計の入口にドリフトガスを提供することと、ｃ）計器を調節し、ドリフトガスに調整剤液を供給するための選択された体積流量を規定することと、ｄ）ドリフトガスに調整剤液の実体積流量を供給することであって、実体積流量は、選択された体積流量からあるパーセント偏差内である、こととを備えている。
（項目１）
分光計システムであって、
イオン源からイオンを受け取るための差動移動度分光計と、
該差動移動度分光計を通って流動するドリフトガスを提供するためのドリフトガス供給部と、
該ドリフトガス供給部に調整剤液の実体積流量を供給するための調整剤供給部であって、選択された体積流量を設定するための計器を備え、該選択された体積流量を変更するように調節可能であり、該実体積流量は、該選択された体積流量からあるパーセント偏差内である、調整剤供給部と
を備えている、システム。
（項目２）
前記パーセント偏差は、前記選択された体積流量の±０．２％内である、項目１に記載の分光計システム。
（項目３）
前記パーセント偏差は、前記選択された体積流量の±２％内である、項目１に記載の分光計システム。
（項目４）
前記調整剤供給部は、前記ドリフトガス供給部に前記調整剤液の実体積流量を供給するためのポンプを備えている、項目１に記載の分光計システム。
（項目５）
前記ドリフトガス供給部は、カーテンガスを提供するためのカーテンガス供給部であって、前記分光計システムは、前記差動移動度分光計の入口に前記ドリフトガスとなる該カーテンガスのうちの少なくとも一部を向けるための境界部材をさらに備えている、項目１に記載の分光計システム。
（項目６）
前記調整剤を添加されたカーテンガスを受け取るためのカーテンチャンバをさらに備え、該カーテンチャンバは、前記差動移動度分光計を囲むカーテン壁を備え、前記境界部材は、該カーテン壁の一部である、項目５に記載の分光計システム。
（項目７）
前記ドリフトガス供給部は、ドリフトガス導管を備え、
前記調整剤供給部は、調整剤導管を備え、
前記システムは、該調整剤導管を該ドリフトガス導管に統合するための接合部をさらに備え、ポンプが、該接合部の上流の該調整剤導管内に設置され、該ドリフトガス導管に前記調整剤液の実体積流量を提供する、
項目３に記載の分光計システム。
（項目８）
前記接合部を加熱するための加熱器をさらに備えている、項目７に記載の分光計システム。
（項目９）
前記差動移動度分光計からイオンを受け取るために、該差動移動度分光計と流体連通する質量分析計をさらに備えている、項目１に記載の分光計システム。
（項目１０）
前記質量分析計によって受け取られるイオンを検出するための検出器をさらに備えている、項目９に記載の分光計システム。
（項目１１）
前記差動移動度分光計は、直線および湾曲電極のうちの１つを備えている、項目１に記載の分光計システム。
（項目１２）
前記チャンバを加熱するための加熱器をさらに備えている、項目５に記載の分光計システム。
（項目１３）
差動移動度分光計を含むシステムを操作する方法であって、
ａ）該差動移動度分光計にイオンを提供することと、
ｂ）該差動移動度分光計の入口にドリフトガスを提供することと、
ｃ）計器を調節し、該ドリフトガスに調整剤液を供給するための選択された体積流量を規定することと、
ｄ）該ドリフトガスに該調整剤液の実体積流量を供給することであって、該実体積流量は、該選択された体積流量からあるパーセント偏差内である、ことと
を含む、方法。
（項目１４）
ｄ）は、選択された時間間隔にわたって、前記実流量を提供することを含み、前記パーセント偏差は、該選択された時間間隔にわたって、前記選択された体積流量の±０．２％内である、項目１３に記載の方法。
（項目１５）
ｄ）は、選択された時間間隔にわたって、前記実流量を提供することを含み、前記パーセント偏差は、該選択された時間間隔にわたって、前記選択された体積流量の±２％内である、項目１２に記載の方法。
（項目１６）
ｄ）は、前記ドリフトガスに前記調整剤液の実体積流量を圧送することを含む、項目１５に記載の方法。
（項目１７）
ｄ）前記差動移動度分光計からイオンを透過させることと、
ｅ）前記差動移動度分光計から透過されたイオンを検出することと
をさらに含む、項目１３に記載の方法。
（項目１８）
前記調整剤および前記ドリフトガスを加熱することをさらに含む、項目１５に記載の方法。
（項目１９）
ｇ）前記ドリフトガスへの前記調整剤の規定された体積流量を決定し、イオンの選択された分離度を提供することをさらに含み、
ｃ）は、前記選択された体積流量を設定し、該規定された体積流量と等しくすることを含む、
項目１７に記載の方法。
（項目２０）
ｇ）は、
複数の時間間隔にわたって、前記ドリフトガスに添加される調整剤の実体積流量を調節することであって、該複数の時間間隔の間、複数の異なる調整剤の体積流量が該ドリフトガスに提供され、該複数の時間間隔の各時間間隔の間、異なる量の調整剤が提供される、ことと、
各時間間隔の間および各異なる量の調整剤に対して、イオンを検出し、関連付けられた選択度を決定することによって、複数の選択度を決定することと、
該複数の選択度および該複数の異なる体積流量に基づいて、前記選択された体積流量を選択することと
を含む、項目１９に記載の方法。
（項目２１）
前記選択された時間間隔は、少なくとも１時間である、項目１４に記載の方法。
（項目２２）
前記選択された時間間隔は、少なくとも１時間である、項目１５に記載の方法。
【図面の簡単な説明】
【０００５】
当業者は、以下に記載される図面が、例証目的にすぎないことを理解するであろう。図面は、出願人の教示の範囲をいかようにも制限することを意図するものではない。
【図１】図１は、本発明の第１の実施形態のある側面による、カーテンガス供給部と、カーテンガスに調整剤液のある体積流量を提供するためのポンプとを含む、差動移動度分光計／質量分析計システムを例証する、概略図である。
【図２】図２は、本発明の第２の実施形態のある側面による、カーテンガス供給部と、カーテンガスに調整剤液のある体積流量を提供するためのポンプとを含む、差動移動度分光計を例証する、概略図である。
【図３】図３は、本発明の第３の実施形態のある側面による、ガス供給部と、ガスに調整剤液のある体積流量を提供するためのポンプとを含む、差動移動度分光計を例証する、概略図である。
【図４】図４は、カーテンガスに添加された調整剤の濃度上昇に伴う、３つの異なる化合物のＣＶ走査を例証する。
【図５】図５は、２−プロパノールを通して発泡されるテマゼパムのＣＶ走査を例証する。カーテンガス内に含まれる調整剤液の割合は、実質的に同一のままであるが、カーテンガス流全体は、ドリフトガスに導入される絶対量の調整剤液は、総カーテンガス流量の増加に伴って増加する。
【図６】図６は、調整剤液を通したカーテンガスの発泡を伴う、テマゼパムのＣＶ走査を例証する。
【図７】図７は、実質的に固定量の２−プロパノールが、５時間にわたって、カーテンガス流内に分注される、テマゼパムのＣＶ走査を例証する。
【図８】図８は、一連の枠として、調整剤液の異なる体積流量を伴う、６つの等比重化合物の移動度ＣＶ走査を例証する。
【発明を実施するための形態】
【０００６】
図１を参照すると、本発明の第１の実施形態のある側面による、差動移動度分光計／質量分析計システム２００の概略図が例証されている。差動移動度分光計／質量分析計システム２００は、差動移動度分光計２０２と、質量分析計の第１の真空レンズ要素２０４（以下、概して、質量分析計２０４として指定される）とを備えている。また、質量分析計２０４は、真空チャンバ２２７の下流に、質量分析器要素２０４ａを備えている。イオンは、真空チャンバ２２７を通して輸送され得、質量分析器要素２０４ａとして図式的に示される質量分析器に先立って、１つ以上の付加的差動排気式真空段階を通して輸送され得る。例えば、一実施形態では、三連四重極質量分析計が、３つの差動排気式真空段階を備え得、約２．３トルの圧力に維持される第１の段階と、約６ミリトルの圧力に維持される第２の段階と、約１０−５トルの圧力に維持される第３の段階とを含む。第３の真空段階は、検出器と、間に設置される衝突セルを伴う２つの四重極質量分析器とを含み得る。記載されていないが、いくつかの他のイオン光学要素がシステム内に存在し得ることは、当業者には明白であろう。
【０００７】
差動移動度分光計２０２は、プレート２０６と、プレート２０６の外側に沿って、電気絶縁体２０７とを備えている。プレート２０６は、差動移動度分光計の入口２１０から差動移動度分光計２０２の出口２１２へとドリフトする、ドリフトガス２０８を囲む。絶縁体２０７は、電極を支持し、それらを他の導電性要素から絶縁する。例えば、絶縁体は、セラミックまたはＴｅｆｌｏｎＴＭから加工され得る。差動移動度分光計２０２の出口２１２は、真空チャンバ２２７の入口２２９および質量分析計２０４内へと流入し得る、ドリフトガスを解放する。
【０００８】
差動移動度分光計２０２は、カーテンプレートまたは境界部材２１９によって規定され、カーテンガス供給部２２０からカーテンガスを供給されている、カーテンチャンバ２１８内に含まれる。具体的には、カーテンガス供給部２２０からのカーテンガスは、流量コントローラ２２０ｂによって決定される流量で、カーテンガス導管２２０ａを通って流動し得る。また、システム２００は、Ｔ−接合点２１６に、カーテンガス導管２２０ａ内へと正確な量の調整剤液を圧送するためのＬＣポンプおよび調整剤供給部２１４を備えている。具体的には、ＬＣポンプ２１４は、接合点２１６内への調整剤液の選択された体積流量を設定するように変更され得る、計器（図示せず）を備えている。次いで、計器のこの調節に基づいて、ＬＣポンプ２１４は、接合点２１６およびカーテンガス導管２２０ａ内へと調整剤液の実体積流量を提供し、カーテンガスと混合させるように動作可能である。
【０００９】
ＬＣポンプ２１４が、噴射ポンプまたは調整剤液を分注するための他の正確に制御可能な分注デバイスと置換され得ることは、当業者には明白であろう。いかなる分注デバイスが使用される場合であっても、本デバイスは、実体積流量が、選択された体積流量の比較的に僅かなパーセント偏差内であるように、十分に正確であり得る。例えば、本パーセント偏差は、選択された体積流量の２％または選択された体積流量の０．２％程であり得る。この実体積流量および僅かなパーセント偏差は、所望に応じて、数時間または数日間維持され得る。同様に、本分注の間（１時間または数日程度であり得る）、パーセント偏差は、選択された体積流量の少なくとも２％、可能性として、０．２％未満に維持され得る。
【００１０】
差動移動度分光計２０２は、カーテンプレートまたは境界部材２１９によって規定され、カーテンガス導管２２０ａを介して、カーテンガス供給部２２０からカーテンガスを供給される、カーテンチャンバ２１８内に含まれる。カーテンガスが、カーテンガス導管２２０ａによって、カーテンチャンバ内へと解放される場合、ＬＣポンプ２１４からの正確に測定された量の調整剤液を含み得る。イオン２２２は、イオン源（図示せず）から提供され、カーテンチャンバ入口２２４を介して、カーテンチャンバ２１８内へと放出される。カーテンチャンバ２１８内のカーテンガスの圧力は、約７６０トルに維持され得る。本圧力は、カーテンガスチャンバ入口２２４からのカーテンガス流出２２６と、差動移動度分光計２０２内へのカーテンガス流入２２８の両方を提供し得、流入２２８は、差動移動度分光計２０２を通って、真空チャンバ２２７内へとイオン２２２を搬送する、ドリフトガス２０８となる。カーテンチャンバ２１８内のカーテンガスは、流量コントローラ２２０ｂおよびＬＣポンプ２１４を微制御することによって、調整剤液の正確な割合を含み得るため、ドリフトガス２０８もまた、調整剤の正確に決定された割合を含み得る。任意に、システム２００は、カーテンチャンバの代わりに、またはそれに加えて、混合チャンバを備え得る。本混合チャンバは、差動移動度分光計の上流のカーテンガス導管２２０ａ内に設置され得る。そのような実施形態では、混合チャンバは、調整剤液とカーテンガスの混合を促進し得る。
【００１１】
図１に例証されるように、質量分析計２０４の第１の真空レンズ要素２０４は、真空チャンバ２２７内に含まれ得、真空チャンバは、カーテンチャンバ２１８よりも遥かに低圧に維持され得る。本発明の実施形態のある側面によると、真空チャンバ２２７は、真空ポンプ２３０によって、２．３トルの圧力に維持され得る一方、カーテンチャンバ２１８および差動移動度分光計２０２の内部動作圧力は、上述のように、約７６０トルの圧力に維持され得る。
【００１２】
任意に、接合点２１６およびカーテンチャンバ２１８の一方または両方が、カーテンガスと調整剤液の混合物を加熱し、カーテンガス内の調整剤液の割合をさらに制御するために、加熱器２１７を含み得る。
【００１３】
図２を参照すると、本発明の第２の実施形態のある側面による、差動移動度分光計システム３００の概略図が例証されている。明確にするために、図１のシステム２００の要素に類似する図２のシステム３００の要素は、１００を加えた図１の同一参照番号を使用して指定される。簡潔にするために、図１の説明は、図２に関して繰り返されない。
【００１４】
示されるように、図２の差動移動度分光計システム３００は、図１のシステム２００の一部に類似するが、図１の質量分析計および真空チャンバ要素を欠いている。故に、図２の差動移動度分光計３００は、任意の数の異なる質量分析計要素の上流に搭載され得、または示されるように、単純に、差動移動度分光計３０２を通して、イオン３２２およびドリフトガス３０８を引き込む減圧領域の上流に搭載され得る。代替として、ファラデーカップまたは他のイオン流測定デバイス等、差動移動度分光計３０２の出口の下流に、検出器が存在し得る。
【００１５】
差動移動度分光計３０２は、カーテンチャンバ３１８内に含まれる。カーテンチャンバ３１８は、図１と関連して上述のように、カーテンガス供給部３２０からカーテンガスを供給される。
【００１６】
図３を参照すると、本発明の第３の実施形態のある側面による、差動移動度分光計システム４００の概略図が例証されている。明確にするために、図２のシステム３００に対応する要素に類似する図３のシステム４００の要素は、１００を加えた同一参照番号を使用して指定される。簡潔にするために、図１および２の説明は、図３に関して繰り返されない。
【００１７】
図３の差動移動度分光計４００は、システム４００の差動移動度分光計４０２が、カーテンチャンバ内に含まれていないという点において、図２のシステム３００よりも遥かにシンプルである。
【００１８】
示されるように、担体またはドリフトガス供給部４２０は、担体ガス導管４２０ａを介して、差動移動度分光計４０２に担体ガスを供給し得る。担体ガスは、流量コントローラ４２０ｂによって決定される流量で流動し得る。接合点４１６では、担体ガス導管４２０ａは、調整剤液供給導管４１４ｃに連結される。調整剤液は、それ自体、調整剤供給部４１４ａから調整剤液を引き込む、ＬＣポンプ４１４ｂによって、担体ガス導管４２０ａ内へと圧送され得る。接合点４１６の下流では、調整剤液と混合された担体ガスは、入口４１０を介して、差動移動度分光計４０２内へと流入し、ドリフトガス４０８となり得る。イオン４２２は、側方入口４２１を介して、差動移動度分光計４０２内へと解放される。
【００１９】
図４を参照すると、ＬＣポンプ２１４によってカーテンガスに提供される特定の調整剤２−プロパノールの濃度変化に伴う、３つの異なる化合物のＣＶ走査が例証されている。これらのデータに対して、カーテンチャンバ２１８への総カーテンガス流入は、７Ｌ／分と実質的に一定に維持された。３つの化合物は、クロバザム、ダイアナボル、およびテマゼパムである。
【００２０】
これらの化合物のそれぞれの場合において、カーテンガス内の調整剤の濃度が、ＣＶピーク位置に劇的影響を及ぼすことは明らかである。これは、調整剤液の割合が０Ｌ／分から１．４Ｌ／分に増加する場合、最も明白であって、ピークの劇的左方シフトをもたらす。ダイアナボルの場合、調整剤液の割合のその後の増加によって、ピークは、さらに左方にシフトするであろう。しかしながら、クロバザムおよびテマゼパムの場合、調整剤の割合のさらなる増加によって、一部のみではあるが、ピークは、右方、すなわち、トレース１のピークに引き返すようにシフトすると考えられる。
【００２１】
より具体的には、クロバザムのグラフを参照すると、１として指定される第１のトレースは、遥か右方に示され、ピークは、約６ボルトである。トレース１は、調整剤がカーテン流内に含まれていない場合を表す。次いで、調整剤を含有するカーテン流の一部が、１．４Ｌ／分に増加すると、ピークは、急激に左方にシフトし、トレース２のピークは、約−２０乃至−２５ボルトに位置する。しかしながら、恐らく、幾分反直感的ではあるが、調整剤を含有するカーテン流の一部がさらに増加されるのに伴って、結果として得られるトレース３から１０が、再び、次第に右方へシフトし、調整剤を含有する流量の一部が、２．１Ｌ／分から増加するのに伴って、これらのピークのそれぞれの電圧は、単調に上昇する。
【００２２】
ダイアナボルの場合では、状況は異なる。具体的には、調整剤液がカーテン流内に含まれていないことを表すトレース１は、遥か右方にあり、ピークは、１０ボルトを若干下回る。調整剤を含有する流量の一部が、１．４Ｌ／分に増加すると、ピークは、急激に左方にシフトし、トレース２のピークは、−１０ボルトを若干下回る。調整剤を含有する流量の一部がさらに増加するのに伴って、ピークは、さらに左方にシフトし、トレース７から１０のピークはすべて、−２０ボルトを下回る。
【００２３】
テマゼパムの場合、状況はより複雑である。同様に、調整剤がカーテン流に添加されていない状況を表すトレース１は、１０ボルトを若干上回るピークを有する。次いで、調整剤を含有する流量の一部が、１．４Ｌ／分に増加すると、ピークは、トレース２へと急激に左方にシフトし、約−２５ボルト乃至−２２ボルトのピークを有する。１．４Ｌ／分から２．８Ｌ／分への調整剤を含有する流量の一部のさらなる増加によって、結果として得られるトレースのピークは、さらに左方にシフトし、トレース４のピークは、約−３０ボルトとなる。しかしながら、２．８Ｌ／分から４．９Ｌ／分の調整剤を含有する流量の一部の増加によって、結果として得られるトレースのピークの位置は、実質的に不変のままである。４．９Ｌ／分から７．０Ｌ／分の調整剤を含有する流量の一部のさらなる増加によって、トレース８から１０によって示されるように、これらのトレースの結果として得られるピークは、徐々に右方にシフトし得、７．０Ｌ／分含有調整剤を表すトレース１０のピークは、この時点では、−３０ボルトを上回る。
【００２４】
カーテンガスへの調整剤導入量の制御は、再現可能な移動度ピーク位置を達成するために、非常に重要であり得る。本論点は、恐らく、驚くべきことに、カーテンガス内の調整剤液の割合に基づいて、ピーク位置が大幅にシフトし得る様子を示す、図４の全グラフによって支持される。ＣＶ走査が、数時間または数日間、継続し得ることを考慮すると、カーテンガスに添加される調整剤液の割合に大幅な非制御変動が存在する場合、数時間または数日間測定される、この選択された時間間隔にわたって、着目化合物のＣＶ位置に極めて大幅なドリフトが存在し得る。これは、定量的分析の場合、ＣＶは、起動開始時に調整され、その間、初期最適条件（すなわち、初期ピーク）に固定され得るため、非常に問題となり得る。ＣＶ位置におけるドリフトが十分である場合、実測定信号は、シフトピーク高が初期ピーク高と実質的に同一であるにもかかわらず、大幅に減少し得る。
【００２５】
図５を参照すると、カーテンガス流全体が、２−プロパノール（調整剤液）を通して発泡される、テマゼパムのＣＶ走査が例証されている。この場合、カーテンガス内に含まれる調整剤液の割合は、実質的に同一のままである。しかしながら、総カーテンガス流量は、ドリフトガスに導入される調整剤液の質量を変動させるように変化する。同様に、テマゼパムの観察されたＣＶは、調整剤の割合が一定のままであるにもかかわらず、総カーテンガス流量に伴って、そしてその結果、総調整剤流量に伴って変動する。
【００２６】
より具体的には、示されるように、２Ｌ／分のカーテンガス流量を表す第１のトレースは、約−３１ボルト時にピークを有する。次いで、カーテンガス流量が増加し、調整剤液の結果として得られる量が増加するのに伴って、トレースは、２５Ｌ／分のカーテンガス流量（および対応するより大量の調整剤液）を表すトレース８が、約−３５乃至−３４ボルト時にピークを有するまで、左方に移行する。トレース２−７は、それぞれ、５Ｌ／分、８Ｌ／分、１１Ｌ／分、１４Ｌ／分、１７Ｌ／分、および２０Ｌ／分のカーテンガス流量を表す。差動移動度分離は、４３００ボルトで生じた（全例に印加された）。
【００２７】
図６を参照すると、カーテンチャンバへの導入に先立って、液体調整剤を通して、カーテンガスの発泡を伴う、約６時間にわたって測定されたテマゼパムのＣＶ走査が例証されている。図６に例証されるように、発泡結果の変動は、６時間にわたって、本化合物の本ＣＶ位置に大幅なドリフトを生じさせ得る。定量的分析の場合、ＣＶは、起動開始時に調整され、その間、初期最適条件（図６では、約−２８．４ボルトと考えられる）に固定され得るため、これは、問題となり得る。特に、６時間時点のデータの場合、−２８．４ボルトのＣＶは、測定信号を２倍超減少させるであろうため、図６に示されるＣＶ位置のドリフトは、容認不可となり得る。図６に例証されるＣＶ最適条件の全広がりを考慮すると（特に、Ａとして指定される３時間の時点のトレースおよび指定Ｂとして指定される６時間の時点のトレース）、約２．３ボルトの範囲のＣＶの広がりで信号に１０倍の減少が存在し得る。
【００２８】
図７を参照すると、５時間にわたって測定されたテマゼパムのＣＶ走査が例証されている。この場合、５０μＬ／分の２−プロパノールが、５時間、約７．７Ｌ／分のカーテンガス流中へ分注された。図７から分かるように、テマゼパムのＣＶ再現性は、発泡とともに観察されたものよりも遥かに優れており、約０．８ボルトの全広がりを実証した。この場合、ＣＶドリフトによるテマゼパムの信号の減少は、これらの実験の過程にわたって、１０％未満であった。上述に基づいて、差動移動度分光計システムのために、ドリフトガス流中へ調整剤液を正確かつ精密に分注することは、調整剤存在下の定量的分析を支援し得ると考えられる。これらの結果は、再現性を向上させるために、加熱することによって、さらに改善され得る。
【００２９】
図８を参照すると、一連の枠において６つの等比重化合物（ｍ／ｚ３１６）の移動度ＣＶ走査が例証されている。具体的には、図８は、選択性が、調整剤流量を使用して調整され得る方法を例証する。６つの等比重化合物のトレースは、１．ブロマゼパム、２．クロナゼパム、３．オクスフェンダゾール、４．クロルプロチキセン、５．フルシラゾール、６．パマキンのように番号付与される。一番下の枠（枠Ａ）は、４２００ボルトの印加および１１．９Ｌ／分の総カーテンガス流量によるＤＭＳ分離を示す（調整剤は添加されていない）。残りの枠（枠ＢからＨ）は、カーテンガス中への２−プロパノール調整剤の体積流量が増加するのに伴って、選択性に及ぼす影響を示す。調整剤液の体積流量の増加は、より大きな範囲のＣＶにわたって、ピークを広げることによって、ピーク容量を増加させる傾向にある。しかしながら、６つの等比重化合物に対して示される最良の全体的分離は、実際は、より高い設定時ではなく、調整剤流量が１ｍＬ／分の時、枠Ｆで達成される。例えば、それぞれ、クロルプロチキセンおよびフルシラゾールを表す、枠Ｆのピーク４および５は、調整剤流量が２ｍＬ／分の時の枠Ｇのトレース４および５のピークより容易に区別され得る。それぞれ、クロナゼパムおよびオクスフェンダゾールを表す、トレース２および３は、枠Ｆのものより、１００μＬ／分の調整剤流量を表す枠Ｃ、および２ｍＬ／分の調整剤流量を表す枠Ｇにおいてより容易に区別可能である。しかしながら、これらの枠の両方では、ピーク４および５を区別することは遥かに困難である一方、枠Ｆでは、重複する底部分を排除するために十分なピーク高を選択することによって、依然として、ピーク２および３を区別することが可能である。
【００３０】
故に、枠ＡからＨに例証される種類のデータを使用して、添加される調整剤液の量を微制御することによって、選択性は向上され得る。すなわち、徐々に大量の調整剤液が添加され、選択性に及ぼす影響が観察され得ることによって、付加的量の調整剤液の添加によって、選択性が減退し始めると、調整剤液のさらなる増加が停止され得る。
【００３１】
本発明の異なる実施形態の他の変形例および修正例も可能である。例えば、上述のアプローチが、平面および円筒形の電場非対称波形イオン移動度分光計（ＦＡＩＭＳ）デバイスの両方に適用され得ることは、当業者には明白であろう。あらゆるそのような修正例または変形例は、本明細書に添付の請求項によって定義される本発明の実施形態の側面の領分および範囲内であると考えられる。
【図１】
0005579706.tif 000002
【図２】
0005579706.tif 000003
【図３】
0005579706.tif 000004
【図４】
0005579706.tif 000005
【図５】
0005579706.tif 000006
【図６】
0005579706.tif 000007
【図７】
0005579706.tif 000008
【図８】
0005579706.tif 000009